(57)【要約】【課題】人体や環境への影響が小さく、且つ、さびとの反応性に優れるさび除去剤組成物を提供する。【解決手段】シュウ酸と、アスコルビン酸及び二酸化チオ尿素のうちの少なくとも一つと、を含む、さび除去剤組成物とする。【選択図】なし【特許請求の範囲】
【請求項１】
シュウ酸と、
アスコルビン酸及び二酸化チオ尿素のうちの少なくとも一つと、
を含む、さび除去剤組成物。
【請求項２】
シュウ酸１００質量部に対して、
前記アスコルビン酸を５質量部以上２００質量部以下含むか、
前記二酸化チオ尿素を５質量部以上２００質量部以下含むか、又は、
前記アスコルビン酸と前記二酸化チオ尿素とを合計で５質量部以上２００質量部以下含む、
請求項１に記載のさび除去剤組成物。
【請求項３】
さらに水を含む、
請求項１又は２に記載のさび除去剤組成物。
【請求項４】
ステンレス鋼外装材のさびを除去するために使用される、
請求項１〜３のいずれかに記載のさび除去剤組成物。
【請求項５】
鉄道車両の外板のさびを除去するために使用される、
請求項１〜３のいずれかに記載のさび除去剤組成物。
【発明の詳細な説明】
【技術分野】
【０００１】
本願は新規のさび除去剤組成物を開示する。詳細には、ステンレス鋼外装材、流し台、鉄道車両の外板等の金属或いは塗装面のさび除去を目的としたさび除去剤組成物を開示する。
【背景技術】
【０００２】
通常、さび除去剤は酸性フッ化アンモニウム（特許文献１）、チオグリコール酸ナトリウム（特許文献２）、塩酸、硫酸、燐酸、シュウ酸及びその塩、スルファミン酸、クエン酸等（特許文献３）を組み合わせたものが用いられる。
【先行技術文献】
【特許文献】
【０００３】
【特許文献１】特開２００６−２４９４８８号公報
【特許文献２】特開２００２−１０５４９７号公報
【特許文献３】特開２０１１−３２４９５号公報
【発明の概要】
【発明が解決しようとする課題】
【０００４】
酸性フッ化アンモニウムはさび除去性に優れるが、人体への影響が大きい。また、燐酸、スルファミン酸、クエン酸等の有機酸は、人体への影響は小さいが、さび除去性に劣り、特に、さびとの反応速度が遅いという問題がある。
【０００５】
有機酸の中でも、特にシュウ酸及びその塩は、人体への影響が少なく、比較的さび除去性に優れるが、低濃度ではさび除去速度が低いため、一部のステンレス車両にあっては強固なさび汚れを短時間で除去することが困難であり、濃度を高くして使用するのが一般的である。しかしながら、シュウ酸は水に対する溶解度が小さく、さび除去剤水溶液中に多量に溶解させることができない。そのため、通常は溶剤等の可溶化剤でシュウ酸を溶解させることとなるが、このような可溶化剤は化学的酸素要求量（ＣＯＤ）及び生物化学的酸素要求量（ＢＯＤ）を増加させ、排水処理の負荷が大きくなる。
【０００６】
このように、人体や環境への影響を小さくしつつも、さびとの反応速度が速いさび除去剤は従来得られていなかった。
【０００７】
また、鉄道車両の外板のさび除去は定期的に手洗い作業によって行われるが、さび除去剤を塗布してからすすぎまでの作業時間を十分に取れない場合が多い。すなわち、特に鉄道車両の外板の用途におけるさび除去剤には、さびとの反応速度の速いものが求められていた。
【０００８】
そこで本願は、人体や環境への影響が小さく、且つ、さびとの反応性に優れるさび除去剤組成物を開示する。
【課題を解決するための手段】
【０００９】
本発明者らは、鋭意研究を重ねた結果、シュウ酸とアスコルビン酸及び二酸化チオ尿素のうちの少なくとも１つとを含む組成物にあっては、シュウ酸とアスコルビン酸や二酸化チオ尿素とが相乗的に作用してさびとの反応性が飛躍的に向上することを知見した。
【００１０】
上記知見に基づき、本願では上記課題を解決するための手段の一つとして、
シュウ酸と、アスコルビン酸及び二酸化チオ尿素のうちの少なくとも１つと、を含む、さび除去剤組成物
を開示する。
【００１１】
本開示のさび除去剤組成物において、シュウ酸１００質量部に対してアスコルビン酸を５質量部以上２００質量部以下含むことが好ましく、シュウ酸１００質量部に対して二酸化チオ尿素を５質量部以上２００質量部以下含むことが好ましく、或いは、シュウ酸１００質量部に対してアスコルビン酸とシュウ酸とを合計で５質量部以上２００質量部以下含むことが好ましい。
【００１２】
本開示のさび除去剤組成物において、さらに水を含ませてもよい。この場合、界面活性剤を含ませることが好ましい。これにより、他の汚れの除去性や組成物のぬれ性及び浸透性を高めることができる。
尚、本開示のさび除去剤組成物では、固体状又は粉体状のさび除去剤組成物に少量の水を加えてペースト状にしたものをさびに付着させて使用することもできる。すなわち、本開示のさび除去剤組成物は、その形態は水溶液に限定されるものではなく、意図的に固形分を残存させた組成物を用いることで、さびに対する付着性を調整することも可能である。例えば、さび面が水平方向に対して垂直な面である場合、水溶液ではなくペースト状のさび除去剤組成物を用いて、さび面への付着性を確保したほうが好ましい場合もある。一方で、さびとの反応性の観点からは、さび除去剤組成物が水溶液であることが好ましい。尚、さび除去剤組成物が水溶液である場合、上記のシュウ酸は、水溶液において電離してシュウ酸水素イオンやシュウ酸イオンとして存在する。本願では、このような「シュウ酸水素イオン」や「シュウ酸イオン」についても「シュウ酸」として換算する。アスコルビン酸や二酸化チオ尿素についても同様である。
【００１３】
本開示のさび除去剤組成物は、ステンレス鋼外装材のさび除去剤として好適である。また、鉄道車両の外板のさび除去剤としても好適である。
【発明の効果】
【００１４】
さび除去成分としてシュウ酸を単独で用いた場合には、上述の通り十分なさび除去性は得られず、またアスコルビン酸や二酸化チオ尿素を単独で用いた場合には、さび除去性はほとんど奏されない。しかしながら、本開示のさび除去剤組成物のように、シュウ酸とアスコルビン酸、シュウ酸と二酸化チオ尿素、或いは、シュウ酸とアスコルビン酸と二酸化チオ尿素、を組み合わせることで、これらが相乗的に作用してさびとの反応性が飛躍的に向上する。例えば、水等の溶媒によって希釈してさび除去剤溶液とする場合、シュウ酸やアスコルビン酸や二酸化チオ尿素の濃度が低濃度であっても十分なさび除去性を奏する。すなわち、本開示のさび除去剤組成物によれば、人体や環境への影響が小さく、且つ、さびとの反応性に優れるさび除去剤組成物を提供することができる。
【発明を実施するための形態】
【００１５】
１．さび除去剤組成物
本開示のさび除去剤組成物は、シュウ酸と、アスコルビン酸及び二酸化チオ尿素のうちの少なくとも一つと、を含むことに特徴を有する。
【００１６】
本開示のさび除去剤組成物は、シュウ酸とアスコルビン酸及び二酸化チオ尿素のうちの少なくとも一つとが含まれていればよく、これら３成分以外の成分がさらに含まれていてもよい。本開示のさび除去剤組成物は、液体状（溶液状、或いは、スラリー状）であってもよいし、固体状・粉体状であってもよい。例えば、上記３成分以外にさらに水を含ませることで、溶液状、或いは、スラリー状のさび除去剤組成物とすることができる。或いは、固体状・粉体状とする場合、シュウ酸は水和物の形で含まれていてもよい。
【００１７】
ここで、シュウ酸は水に対する溶解度が小さく、水中に多量に溶解させることができない。そのため、従来においては、溶剤等の可溶化剤でシュウ酸を溶解させていたが、このような可溶化剤は化学的酸素要求量（ＣＯＤ）及び生物化学的酸素要求量（ＢＯＤ）を増加させ、排水処理の負荷が大きくなる。
【００１８】
本発明者らが鋭意研究したところ、シュウ酸単独ではさびとの反応性が十分でなく、また、アスコルビン酸や二酸化チオ尿素単独ではさびとの反応性がほとんどない（シュウ酸よりもさび除去性に劣る）。しかしながら、シュウ酸とアスコルビン酸、シュウ酸と二酸化チオ尿素、或いは、シュウ酸とアスコルビン酸と二酸化チオ尿素、を組み合わせた場合、これらが相乗的に作用し、さび除去性を飛躍的に向上させることができる。それゆえ、本開示のさび除去剤組成物は、水で希釈してシュウ酸やアスコルビン酸や二酸化チオ尿素の濃度を低濃度としても、十分なさび除去性を発揮する。すなわち、従来のように可溶化剤を用いてシュウ酸濃度を増大させる必要がない。言い換えれば、本開示のさび除去剤組成物は、当該組成物全体を基準（１００質量％）として、グリコール類やグリセリンといった可溶化剤の含有量を５質量％以下と極めて少なくすることが可能である。より好ましくは、本開示のさび除去剤組成物は、可溶化剤を含まない。ただし、例えば、夏季等において乾燥抑制目的で配合する場合においてはこの限りではなく、目的に応じて可溶化剤を適宜含ませることも可能ではある。
【００１９】
本開示のさび除去剤組成物を水溶液とする場合、水溶液全体を１００質量％として、シュウ酸の濃度を０．１質量％以上１０．０質量％以下とすることが好ましい。下限はより好ましくは１．０質量％以上である。
一方、アスコルビン酸の濃度については、０．０５質量％以上２０．０質量％以下とすることが好ましい。下限はより好ましくは０．５質量％以上、上限はより好ましくは１０．０質量％以下である。
また、二酸化チオ尿素の濃度については、０．０５質量％以上２．０質量％以下とすることが好ましい。下限はより好ましくは０．５質量％以上である。
尚、水溶液全体を１００質量％として、シュウ酸単独では最大でも１３質量％程度しか溶解しない。また、二酸化チオ尿素単独でも最大で３質量％程度しか溶解せず、シュウ酸１質量％と併存させる場合は、二酸化チオ尿素は最大２質量％程度しか溶解しない。一方、アスコルビン酸単独では３３質量％程度溶解するため、溶解の点では問題ない。
【００２０】
本開示のさび除去剤組成物において、シュウ酸とアスコルビン酸と二酸化チオ尿素との配合比については特に限定されるものではないが、シュウ酸１００質量部に対してアスコルビン酸を５質量部以上２００質量部以下含むことが好ましく、シュウ酸１００質量部に対して二酸化チオ尿素を５質量部以上２００質量部以下含むことが好ましく、或いは、シュウ酸１００質量部に対してアスコルビン酸とシュウ酸とを合計で５質量部以上２００質量部以下含むことが好ましい。アスコルビン酸や二酸化チオ尿素の量が少なすぎると、上記の相乗効果が十分に奏されなくなる。一方、アスコルビン酸や二酸化チオ尿素の量が多すぎると効果が頭打ちになり経済性に劣る。また、水溶液とする場合において、シュウ酸を十分に溶解できなくなる虞もある。
【００２１】
本開示のさび除去剤組成物には、シュウ酸、アスコルビン酸及び二酸化チオ尿素以外の成分として、シュウ酸以外の有機酸、濡れ性やさび以外の汚れ除去性を付与する界面活性剤等を含ませてもよい。
【００２２】
シュウ酸以外の有機酸としては、酢酸、乳酸、クエン酸、コハク酸、リンゴ酸等が好適である。ただし、これらに限定されるものではない。さび除去剤組成物におけるこれらシュウ酸以外の有機酸の含有量は特に限定されるものではない。
【００２３】
界面活性剤としては、アニオン系界面活性剤、ノニオン系界面活性剤、カチオン界面活性剤、両性界面活性剤を用いることができる。アニオン系界面活性剤としては、アルキルベンゼンスルホン酸ナトリウム、アルキル硫酸エステルナトリウム、ジアルキルスルホコハク酸ナトリウム、ポリオキシエチレンアルキルエーテル硫酸ナトリウム、ポリオキシエチレンアルキルエーテル、ポリオキシエチレンアルキルフェニルエーテルなどが挙げられる。ノニオン系界面活性剤としては、ポリオキシアルキレン（エチレン）アルキルフェニルエーテル、ポリオキシアルキレン（エチレン）アルキルエーテル、ポリオキシエチレンポリオキシプロピレンブロックコポリマー、ポリオキシエチレングリコールアルキルエステル、ソルビタン脂肪酸エステル、ショ糖脂肪酸エステル等が好適である。ただし、これらに限定されるものではない。
【００２４】
本開示のさび除去剤組成物には、ｐＨを調整するためにアンモニアやアミンや無機アルカリ化合物等のアルカリ成分を併用することができる。アミンとしては、モノ、ジおよびトリアミンを含むアルカノールアミン又はアルキルアミンが好適である。例えば、アルカノールアミンとして、モノエタノールアミン、ジエタノールアミン、トリエタノールアミン、モノイソプロパノールアミン、ジイソプロパノールアミン、トリイソプロパノールアミン、アミノエチルエタノールアミン、アミノメチルプロパノールアミン等が挙げられる。アルキルアミンとしては、メチルアミン、ジメチルアミン、トリメチルアミン、エチルアミン、ジエチルアミン、トリエチルアミン、ｎ−アミルアミン、イソアミルアミン、トリエチレンテトラミン等が挙げられ、無機アルカリ化合物としては、水酸化ナトリウム、水酸化カリウム等が挙げられる。ただし、これらに限定されるものではない。尚、ｐＨを調整のため上記のアルカリ成分を含ませる場合、当該アルカリ成分と、さび除去剤組成物における必須成分であるシュウ酸やアスコルビン酸と、の塩を含ませてもよい。
【００２５】
尚、本開示のさび除去剤組成物は、そのｐＨが５以下であることが好ましい。ｐＨが３以下において、より顕著なさび除去性を発揮するためである。この観点から、本開示のさび除去剤組成物においては、上記のアルカリ成分を添加し過ぎないほうが良い。
【００２６】
２．さび除去剤組成物の使用方法
本開示のさび除去剤組成物は、上述したような水溶液の状態で使用するほか、固体状・粉体状のものに少量の水を加えてペースト状にしたものをさびに付着させて使用することもできる。すなわち、上述の通り、さびに密着させ得る方法であればその使用形態を問わない。さびの形態に合わせて、組成物の形態を変更することができる。
【００２７】
尚、本発明者らの知見によれば、さび除去剤組成物において、アスコルビン酸が水溶液中に存在する場合、自己酸化により、変色（黒色化）する場合がある。仮に変色を回避する場合は、アスコルビン酸については、さび除去剤として使用する直前に水と混ぜ合わせることが好ましい。例えば、さび除去剤組成物について、水を含む第１組成物と、アスコルビン酸を含む第２組成物との「２組成物型」とすることが好ましい。この場合は、例えば、第１組成物を水溶液とし、第２組成物を粉体状とすることが可能である。尚、２組成物型とする場合、シュウ酸は第１組成物に含まれていてもよいし、第２組成物に含まれていてもよい。ただし、シュウ酸は水に対する溶解速度が遅く、溶解度も小さいため、あらかじめ水溶液中に溶解させておくことが好ましい。すなわち、２組成物型とする場合、シュウ酸は第１組成物に含まれていることが好ましい。
尚、アスコルビン酸を水に溶解させた場合、常温（２０℃）で約１ヶ月、５０℃では約２日で大きく変色する。一方、上述の２組成物型とし、片方についてアスコルビン酸を含む粉体（アスコルビン酸単独でも良いし、例えば他の酸を混ぜ合わせても良い）とすると、その粉体の状態では５０℃であっても変色は発生しない。
【００２８】
３．さび除去剤組成物の用途
本開示のさび除去剤組成物は、環境や人体への影響が小さく、且つ、さび除去性に優れる。それゆえ、ステンレス鋼外装材、ステンレス鋼製の流し台、鉄道車両の外板等の塗装面又は金属面のさびを除去する場合に好適に用いることができる。特に、迅速にさびを除去する必要がある、鉄道車両の外板等の塗装面又は金属面のさびを除去するためのさび除去剤として好適である。
【実施例】
【００２９】
以下、実施例を示してさび除去剤組成物について説明するが、本発明はこれに限定されるものではない。
【００３０】
下記の各成分を下記表１〜３に示す組成比（質量％）にて配合し評価用のさび除去剤組成物（水溶液）を作製した。
シュウ酸・二水和物：和光純薬工業社製 試薬特級（純度９９．５％以上）
Ｌ−アスコルビン酸：和光純薬工業社製 試薬特級（純度９９．５％以上）
二酸化チオ尿素：和光純薬工業社製 試薬一級（純度９７％以上）
クエン酸・一水和物：和光純薬工業社製 食品添加物（純度９９．５％以上）
乳酸：和光純薬工業社製 試薬特級（総乳酸８５．０〜９２．０％）
モノエタノールアミン：ダウケミカル社製（純度９９％以上）
界面活性剤（直鎖ドデシルベンゼンスルホン酸ナトリウム）：和光純薬工業社製ＡＢＳ測定用（純度９９．０％以上）
【００３１】
作製した各さび除去剤組成物について、以下の手順でさび除去性の評価を行った。
プラスチックシャーレ（φ５０ｍｍ）に鋳物切りくず（材質：ねずみ鋳鉄）を入れ、水を加えた後、液切りして蓋をした。次いで、２日間放置してから蓋を取り、室温で乾燥させた後、鋳物切りくずを取り除き、さびが転写されたシャーレを試験片とした。この試験片に試料液を５ｇ加え、経時でさびの除去スピードを以下の基準により評価した。結果を下記表１〜３に示す。
◎：２時間以内にさびがほとんど除去された。
○：３時間以内にさびがほとんど除去された。
△：４時間以内にさびがほとんど除去された。
×：８時間以内にさびがほとんど除去された。
××：８時間後さびが明らかに残っていた。
【００３２】
【表１】
2017203087.tif 000002
【００３３】
【表２】
2017203087.tif 000003
【００３４】
【表３】
2017203087.tif 000004
【００３５】
実施例１、２、６、７、１０、１９、２０と比較例１、２、３、４、５との対比、及び、実施例３、４、５と比較例１１との対比から明らかなように、シュウ酸単独の場合（比較例１）は十分なさび除去性を奏さず、アスコルビン酸単独の場合（比較例２、３）、二酸化チオ尿素単独の場合（比較例４、５）は比較例１に対してさらにさび除去性に劣るのに対し、シュウ酸とわずかな量のアスコルビン酸とを組み合わせた場合（実施例１）、シュウ酸とわずかな量の二酸化チオ尿素とを組み合わせた場合（実施例６）やシュウ酸の一部をアスコルビン酸に置き換えた場合（実施例１９）、シュウ酸の一部を二酸化チオ尿素に置き換えた場合（実施例２０）は、さび除去性が飛躍的に向上した。さらに、シュウ酸とアスコルビン酸と二酸化チオ尿素とを組み合わせた場合（実施例１０）も、優れたさび除去性が認められた。すなわち、シュウ酸とアスコルビン酸及び二酸化チオ尿素のうちの少なくとも一つとを組み合わせたことによる相乗効果が認められた。
【００３６】
また、実施例１と実施例２との対比、及び、実施例６と実施例７との対比から明らかなように、アスコルビン酸や二酸化チオ尿素の量を増大させると、さび除去性がさらに向上した。
尚、実施例３、４及び５や、実施例８及び９については、いずれもさび除去性が◎と極めて良好であったが、厳密にはさび除去性に性能差が認められた。すなわち、実施例３、４、５においても、アスコルビン酸の量を増大させると、さび除去性がさらに向上した。
【００３７】
また、実施例１１、１２、１３、１４と比較例６、７、８、９との対比から明らかなように、シュウ酸以外の有機酸を含ませた場合であっても、アスコルビン酸や二酸化チオ尿素による相乗効果が発揮された。すなわち、さび以外の汚れ除去成分を併存させることができた。また、シュウ酸とシュウ酸以外の有機酸とを組み合わせてもさび除去性能は発揮されなかった。すなわち、シュウ酸と組み合わせる成分として、アスコルビン酸や二酸化チオ尿素の優位性が確認できた。
【００３８】
また、実施例１５、１６、１７、１８と比較例１０との対比から明らかなように、アルカリ成分であるアミンを添加してｐＨを調整すると、シュウ酸単独の場合（比較例１０）はさび除去性が著しく低下するのに対し、シュウ酸とアスコルビン酸とを組み合わせた場合（実施例１５、１７）やシュウ酸と二酸化チオ尿素とを組み合わせた場合（実施例１６、１８）は、さび除去性を維持可能であった。
さらに、実施例２１、２２から明らかなように、界面活性剤が存在しない場合であっても、さび除去性の相乗的な向上効果が認められた。すなわち、界面活性剤を配合して濡れ性等を改善せずとも、シュウ酸と、アスコルビン酸及び二酸化チオ尿素のうちの少なくとも一つと、を組み合わせただけで十分なさび除去性が得られることが分かった。
以上の通り、シュウ酸と、アスコルビン酸及び二酸化チオ尿素のうちの少なくとも一つと、を含む組成物が、さび除去剤として極めて有用であることが分かった。
【００３９】
以上、現時点において、最も実践的であり、且つ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うさび除去剤組成物もまた本発明の技術範囲に包含されるものとして理解されなければならない。
【産業上の利用可能性】
【００４０】
本開示のさび除去剤組成物は、ステンレス鋼外装材、ステンレス鋼製の流し台、鉄道車両の外板等の塗装面又は金属面のさびを除去する場合に好適に用いることができる。